(57)【要約】【課題】トイレルーム内の構造に左右されることなく自由に使用することができ、使い勝手が良好であり、耐久性にも優れたトイレテーブルを提供する。【解決手段】トイレテーブル１０は、トイレルームＴＲ内において洋式便器Ｔに着座した使用者Ｐがその前方の床面Ｆに置いて使用するものであって、使用者Ｐの左右の腕Ｈを載置可能な天板１と、天板１を使用者Ｐの左右の肩Ｓから洋式便器Ｔの着座面Ｔ１までの高さ範囲内で水平支持するため天板１に取り付けられた３本の支柱２ａ，２ｂ，２ｃと、を備えている。天板１の下方には、天板１と略平行な棚板３が設けられ、支柱２ａ，２ｂ，２ｃの下方寄りの部分には、これらの支柱２ａ，２ｂ，２ｃの位置を一定保持するための３本の補強部材５が取り付けられている。また、支柱２ａ，２ｂ，２ｃの下端部にはゴム製のスリップ防止具４が固着されている。【選択図】  図４
2007000295.tif 000002
【特許請求の範囲】
【請求項１】
洋式便器に着座した使用者がその前方の床面に置いて使用するトイレテーブルであって、使用者の両腕を載置可能な天板と、前記天板を前記洋式便器の着座面より高い位置に水平支持するため前記天板に取り付けられた少なくとも３本の支柱と、を備えたことを特徴とするトイレテーブル。
【請求項２】
洋式便器に着座した使用者がその前方の床面に置いて使用するトイレテーブルであって、使用者の両腕を載置可能な天板と、前記天板を前記洋式便器の着座面より高い位置に水平支持するため前記天板に取り付けられた支柱と、前記支柱を前記床面上で垂直支持するため前記支柱の下方に設けられた支持部材と、を備えたことを特徴とするトイレテーブル。
【請求項３】
前記支持部材として、前記床面上の少なくとも３点に接地する支持脚または前記床面に面接触する支持板を設けた請求項２記載のトイレテーブル。
【請求項４】
前記支柱に、前記天板の支持高さを変更するための伸縮機構を設けた請求項１〜３のいずれかに記載のトイレテーブル。
【請求項５】
前記天板より低い位置に、前記天板と略平行な棚板を設けた請求項１〜４のいずれかに記載のトイレテーブル。
【発明の詳細な説明】
【技術分野】
【０００１】
本発明は、トイレルーム内において洋式便器に着座した使用者が様々な目的のために利用することのできるトイレテーブルに関する。
【背景技術】
【０００２】
従来、トイレルーム内に入って洋式便器に着座した使用者は、本来の目的のほかに、本や新聞を読んだり、思索に耽ったりすることがある。この場合、使用者は、本や新聞などを載置したり、肘を着いて身体を支えたりするための支持手段を欲することが多いので、そのような目的に叶う支持具が提案されている（例えば、特許文献１，２参照。）。
【０００３】
特許文献１に記載された「トイレ用カウンター」は、平板状のカウンターが便器側方のトイレ壁面に水平旋回可能に軸支された構造を有し、使用者が必要に応じてカウンターを水平方向に引き出せば、便器に着座した使用者の前方にカウンターを水平配置することができる。一方、特許文献２に記載された「もたれ部を有するトイレルーム」は、平板状のもたれ部がトイレ壁面に倒伏・起立可能に軸支された構造を有し、使用者がもたれ部を引っ張って倒伏させると、便器に着座した使用者の前方に平板状のもたれ部が水平配置される。従って、便器に着座した使用者は、目の前に水平配置されたカウンターあるいはもたれ部を自由に使用することができる。
【０００４】
【特許文献１】特開平１１−３１１０３２号公報
【特許文献２】特開昭６４−２１７００号公報
【発明の開示】
【発明が解決しようとする課題】
【０００５】
特許文献１に記載された「カウンター」および特許文献２に記載された「もたれ部」はいずれもトイレ壁面に取り付ける構造であるため、便器とトイレ壁面との距離が近いトイレルームでないと使い勝手が悪い。このため、老人介護などの観点から便器周辺のスペースを広く確保した設計がされている最近のトイレルームには不向きである。
【０００６】
また、これらの「カウンター」および「もたれ部」は、トイレ壁面から引き出して実際に使用するときの位置が一つに決まっているため、使用者の希望に応じて位置を変更することができず、不便である。さらに、収納状態にあるときの占有スペースも比較的大であるため、トイレルーム内を清掃する際に邪魔になることがある。
【０００７】
一方、これらの「カウンター」および「もたれ部」は、使用時に加わる荷重をトイレ壁面で支える構造であるため、使用時に応力が集中するトイレ壁面との連結部分の強度を確保するために連結部品の大型化、複雑化を招きやすい。また、これらの連結部品は反復使用あるいは過荷重などによって損傷することがあり、耐久性に欠ける面もある。
【０００８】
本発明が解決しようとする課題は、トイレルーム内の構造に左右されることなく自由に使用することができ、使い勝手が良好であり、耐久性にも優れたトイレテーブルを提供することにある。
【課題を解決するための手段】
【０００９】
本発明のトイレテーブルは、洋式便器に着座した使用者がその前方の床面に置いて使用するトイレテーブルであって、使用者の両腕を載置可能な天板と、前記天板を前記洋式便器の着座面より高い位置に水平支持するため前記天板に取り付けられた少なくとも３本の支柱と、を備えたことを特徴とする。
【００１０】
このような構成とすれば、洋式便器に着座した使用者の前方の床面に本発明のトイレテーブルを置くことにより、天板上に使用者の両腕を置いて身体を支えたり、天板上に本や新聞を置いて読んだりして、自由に使用することができる。この場合、トイレテーブルは床面上に置くだけで使用できるため、トイレルーム内の構造に左右されることなく、任意の位置にセットすることができ、使い勝手が良好である。また、トイレ壁面に対して倒伏可能あるいは旋回可能に軸支する機構を設けていないので可動部品は不要であり、天板に加わる荷重は少なくとも３本の支柱を介して床面で支えられるため、応力が一部に集中せず、耐久性にも優れている。
【００１１】
また、本発明のトイレテーブルは、洋式便器に着座した使用者がその前方の床面に置いて使用するトイレテーブルであって、使用者の両腕を載置可能な天板と、前記天板を前記洋式便器の着座面より高い位置に水平支持するため前記天板に取り付けられた支柱と、前記支柱を前記床面上で垂直支持するため前記支柱の下方に設けられた支持部材と、を備えたことを特徴とする。
【００１２】
このような構成とすれば、前述と同様、洋式便器に着座した使用者の前方の床面に本発明のトイレテーブルを置くことにより、天板上に使用者の両腕を置いて身体を支えたり、天板上に本や新聞を置いて読んだりして、自由に使用することができる。この場合、トイレテーブルは床面上に置くだけで使用できるため、トイレルーム内の構造に左右されることなく、任意の位置にセットすることができ、使い勝手が良好である。また、トイレ壁面に対して倒伏可能あるいは旋回可能に軸支する機構を設けていないので可動部品は不要であり、天板に加わる荷重は支柱および支持部材を介して床面で支えられるため、応力が一部に集中せず、耐久性にも優れている。さらに、複数の支柱を設ける必要がないので、天板と支持部材との間をスリム化することができ、これによって、使用者が当該トイレテーブル全体を身体側に引き寄せて使用したり、両足間に配置したりするスペースを確保することが可能となるため、使い勝手が向上する。
【００１３】
この場合、前記支持部材として、前記床面上の少なくとも３点に接地する支持脚または前記床面に面接触する支持板を設けることができる。少なくとも３点に接地する支持脚を設ければ、天板および支柱をこれらの支持脚で安定支持することができ、ガタつきが生じることもない。また、床面に面接触する支持板を設ければ、天板に加わる荷重は面状に分散して床面に伝達されるため、荷重の局部集中による床面の損傷を回避することができ、安定性も良好となる。
【００１４】
一方、前記支柱に、前記天板の支持高さを変更するための伸縮機構を設けることもできる。このような構成とすれば、洋式便器に着座した使用者の身体の高さに合わせて、天板の高さを調節することができるため、使い勝手が向上する。また、支柱を収縮させることにより不使用時の収納スペースを縮小することができる。
【００１５】
また、前記天板より低い位置に、前記天板と略平行な棚板を設けることもできる。このような構成とすれば、棚板を物置用のスペースとして利用可能となるため、利便性が向上する。
【発明の効果】
【００１６】
本発明により、トイレルーム内の構造に左右されることなく自由に使用することができ、使い勝手が良好で、耐久性にも優れたトイレテーブルを提供することができる。
【発明を実施するための最良の形態】
【００１７】
以下、図面に基づいて本発明の実施の形態について説明する。図１は本発明の第１実施形態であるトイレテーブルを示す斜視図、図２（ａ）は図１に示すトイレテーブルの平面図、図２（ｂ）は図１に示すトイレテーブルの底面図、図３（ａ）は図１に示すトイレテーブルの正面図、図３（ｂ）は図１に示すトイレテーブルの側面図、図４は図１に示すトイレテーブルの使用状態を示す斜視図である。
【００１８】
図１〜図３に示す本実施形態のトイレテーブル１０は、図４に示すように、トイレルームＴＲ内において洋式便器Ｔに着座した使用者Ｐがその前方の床面Ｆに置いて使用するものである。トイレテーブル１０は、使用者Ｐの左右の腕Ｈを載置可能な天板１と、天板１を使用者Ｐの左右の肩Ｓから洋式便器Ｔの着座面Ｔ１までの高さ範囲内で水平支持するため天板１に取り付けられた３本の支柱２ａ，２ｂ，２ｃと、を備えている。天板１の下方には、天板１と略平行な棚板３が設けられ、支柱２ａ，２ｂ，２ｃの下方寄りの部分には、これらの支柱２ａ，２ｂ，２ｃの位置を一定保持するための３本の補強部材５が、支柱２ａ，２ｂ，２ｃの一部を頂点とする三角形をなすように取り付けられている。また、支柱２ａ，２ｂ，２ｃの下端部にはゴム製のスリップ防止具４が固着されている。
【００１９】
天板１および棚板３はいずれもその平面視形状が角を丸めた直角二等辺三角形状をなしており、その大きさおよび厚さは同等である。また、天板１および棚板３の周縁部は外側に向かって丸く突出した形状である。天板１，支柱２ａ，２ｂ，２ｃおよび棚板３の材質は特に限定しないが、本実施形態では木材を用いている。
【００２０】
図４に示すように、トイレルームＴＲ内の洋式便器Ｔに着座した使用者Ｐの前方の床面Ｆにトイレテーブル１０を置けば、使用者Ｐは、天板１上に左右の腕Ｈを置いて身体を支えたり、天板１上に本や新聞を置いて読んだりして、自由に使用することができる。このとき、使用者Ｐが左右の腕Ｈを天板１状に置いて身体を支えれば、使用者Ｐは臀部に体重が集中しない楽な姿勢をとることができるため、長時間着座したときの痺れを防止することができる。また、痔疾患者の排便の苦痛を和らげたり、うっ血を緩和したり、便秘症の人の排便を促進したりする効果もある。
【００２１】
図４に示すように、トイレテーブル１０は床面Ｆ上に置くだけで使用できるため、トイレルームＴＲ内の構造に左右されることなく、使用者Ｐの希望に応じた任意の位置にセットすることができ、使い勝手が良好である。また、トイレルームＴＲの壁面に対して倒伏可能あるいは旋回可能に軸支する機構を設けていないので可動部品は不要であり、天板１に加わる荷重は３本の支柱２ａ，２ｂ，２ｃを介して床面Ｆで支えられるため、応力が一部に集中することがなく、耐久性にも優れている。さらに、天板１より低い位置に、天板１と略平行な棚板３を設けているため、棚板３を物置用のスペースとして利用することができ、便利である。
【００２２】
次に、図５〜図７を参照して、本発明の第２実施形態について説明する。図５は本発明の第２実施形態であるトイレテーブルを示す斜視図、図６（ａ）は図５に示すトイレテーブルの平面図、図６（ｂ）は図５に示すトイレテーブルの底面図、図７は図５に示すトイレテーブルの使用状態を示す斜視図である。
【００２３】
図５，図６に示す本実施形態のトイレテーブル２０は、図７に示すように、トイレルームＴＲ内の洋式便器Ｔに着座した使用者Ｐがその前方の床面Ｆに置いて使用するものである。トイレテーブル２０は、使用者Ｐの左右の腕Ｈを載置可能な天板２１と、天板２１を使用者Ｐの左右の肩Ｓから洋式便器Ｔの着座面Ｔ１までの高さ範囲内で水平支持するため天板２１に取り付けられた１本の支柱２２と、支柱２２を床面Ｆ上で垂直支持するため支柱２２の下方に設けられた支持板２３と、を備えている。また、支持板２３上面の左右端部寄り部分にそれぞれ半切り卵形状の突起２４を設けている。突起２４は、足裏のツボなどを押圧したり、マッサージしたりするためのものであり、弾性を有するゴムで形成されている。ただし、これに限定するものではないので、合成樹脂材、木材、金属材などで形成することもできる。
【００２４】
前述したトイレテーブル１０と同様、洋式便器Ｔに着座した使用者Ｐの前方の床面Ｆにトイレテーブル２０を置くことにより、天板２１上に使用者Ｐの左右の腕Ｈを置いて身体を支えたり、天板２１上に本や新聞を置いて読んだりして自由に使用することができる。この場合も、トイレテーブル２０は床面Ｆ上に置くだけで使用できるため、トイレルームＴＲ内の構造に左右されることなく、任意の位置にセットすることができ、使い勝手が良好である。また、トイレルームＴＲの壁面に対して倒伏可能あるいは旋回可能に軸支する機構を設けていないので可動部品は不要であり、天板２１に加わる荷重は支柱２２および支持板２３を介して床面Ｆで支えられるため、応力が一部に集中せず、耐久性にも優れている。
【００２５】
さらに、複数の支柱を設ける必要がないので、天板２１と支持板２３との間は１本の円柱状の支柱２２のみしか存在しないスリムな構造である。このため、使用者Ｐがトイレテーブル２０全体を身体側に引き寄せて使用したり、左右の足Ｌの間に配置したりするスペースを確保することも可能であり、使い勝手が良好である。また、図６に示すように、天板２１および支持板２３は大きさの等しい略ブーメラン形状をしており、これらの天板２１および支持板２３は同じ向きに配置されているため、それぞれの凹部２１ａ，２３ａを、身体や洋式便器Ｔの下端部が入り込むためのスペースとして利用することもできる。
【００２６】
従って、図７に示すように、トイレテーブル２０全体を使用者Ｐの胸部付近まで引き付けて使用することもできる。このとき、図７に示すように、支持板２３の上に左右の足Ｌを載せて使用することもできるため、安定性確保に有効である。また、支持板２３の上面にある２つの突起２４上に使用者Ｐの足裏を載せれば、突起２４によって足裏のツボを押圧したり、マッサージしたりすることができる。従って、使用者Ｐが、足裏に存在する排便を促すツボなどを突起２４で押圧すれば便秘解消に有効である。
【００２７】
さらに、トイレテーブル２１の場合、支持板２３は床面Ｆに面接触しているため、天板２１に加わる荷重は平面状に分散して床面Ｆに伝達されることとなる、このため、荷重の局部集中による床面Ｆの損傷を回避することができ、安定性も良好である。その他の機能、効果については、前述したトイレテーブル１０と同様である。
【００２８】
次に、図８，９を参照して、本発明の第３実施形態について説明する。図８は本発明の第３実施形態であるトイレテーブルを示す側面図、図９は図８におけるＡ−Ａ線断面図である。
【００２９】
図８，図９に示すように、本実施形態のトイレテーブル３０は、天板３１および支持板３３と、これらを連結する支柱３２とを備えている。天板３１および支持板３３の形状は、図５などで示したトイレテーブル２０と同様であるが、支柱３２の一部に、天板３１の支持高さを変更するための伸縮機構３４を設けている。伸縮機構３４は、天板３１の下面に上端部が固着された円筒状の細径部材３４ａと、下端部が支持板３３に固着され、細径部材３４ａの下方部を摺動可能に収容する円筒状の太径部材３４ｂと、太径部材３４ｂ内に収納され細径部材３４ａの下端部を上方に付勢するスプリング３５と、細径部材３４ａと太径部材３４ｂとを係脱可能に係止する高さ調節ネジ３７と、を備えている。
【００３０】
高さ調節ネジ３７は、手指で回動するために太径部材３４ｂの側面に露出した摘み部３７ａと、摘み部３７ａから延設されたボルト部３７ｂとで構成されている。ボルト部３７ｂは、太径部材３４ｂの外周に形成されたスリット３６から細径部材３４ａを直径方向に貫通する方向に螺着されている。摘み部３７ａを回動させると、ボルト部３７ｂとナット部材３７ｃとの螺合により、ボルト部３７ｂの先端部が太径部材３４ｂの内周面に当接・離隔し、これによって細径部材３４ａと太径部材３４ｂとが係止・解除される。従って、高さ調節ネジ３７を緩めて細径部材３４ａと太径部材３４ｂとの係止を解除すれば、この状態で天板３１を細径部材３４ａとともに昇降させることができ、適切な位置で高さ調節ネジ３７を締め付ければ、細径部材３４ａと太径部材３４ｂとが係止され、天板３１をその高さで固定することができる。
【００３１】
このような構成の伸縮機構３４を設けたことにより、トイレテーブル３０は、洋式便器Ｔに着座した使用者Ｐの身体の高さに合わせて天板３１の高さを調節することができるため、使い勝手が良好である。また、支柱３２を最短状態まで収縮させれば、不使用時の収納スペースを縮小することができる。その他の機能、効果については、前述したトイレテーブル１０と同様である。
【００３２】
次に、図１０を参照して、本発明の第４実施形態について説明する。図１０は本発明の第４実施形態であるトイレテーブルを示す斜視図である。本実施形態のトイレテーブル４０は、略ブーメラン形状をした天板４１と、天板４１から下方に延設された円柱状の支柱４２と、支柱４２を垂直保持するため、その下端部に設けられた三脚形状の支持脚４３と、を備えている。支持脚４３は３本の支持脚４３ａ，４３ｂ，４３ｃで構成され、それぞれの支持脚４３ａ，４３ｂ，４３ｃの下端部にはゴム製のスリップ防止具４４が取り付けられている。
【００３３】
トイレテーブル４０をトイレルーム内の床面上に置くと、支持脚４３ａ，４３ｂ，４３ｃの下端部のスリップ防止具４４が床面に３点接地するので、天板４１および支柱４２をこれらの支持脚４３ａ，４３ｂ，４３ｃで安定支持することができ、ガタつきが生じることもない。その他の機能、効果については、前述したトイレテーブル１０と同様である。
【産業上の利用可能性】
【００３４】
本発明のトイレテーブルは、一般住宅の洋式トイレルーム内などにおいて広く利用することができる。
【図面の簡単な説明】
【００３５】
【図１】本発明の第１実施形態であるトイレテーブルを示す斜視図である。
【図２】（ａ）は図１に示すトイレテーブルの平面図であり、（ｂ）は図１に示すトイレテーブルの底面図である。
【図３】（ａ）は図１に示すトイレテーブルの正面図であり、（ｂ）は図１に示すトイレテーブルの側面図である。
【図４】図１に示すトイレテーブルの使用状態を示す斜視図である。
【図５】本発明の第２実施形態であるトイレテーブルを示す斜視図である。
【図６】（ａ）は図５に示すトイレテーブルの平面図であり、（ｂ）は図５に示すトイレテーブルの底面図である。
【図７】図５に示すトイレテーブルの使用状態を示す斜視図である。
【図８】本発明の第３実施形態であるトイレテーブルを示す側面図である。
【図９】図８におけるＡ−Ａ線断面図である。
【図１０】本発明の第４実施形態であるトイレテーブルを示す斜視図である。
【符号の説明】
【００３６】
１，２１，３１，４１  天板
２ａ，２ｂ，２ｃ，２２，３２，４２  支柱
３  棚板
４，４４  スリップ防止具
５  補強部材
１０，２０，３０，４０  トイレテーブル
２１ａ，２３ａ  凹部
２４  突起
２３，３３  支持板
３４  伸縮機構
３４ａ  細径部材
３４ｂ  太径部材
３５  スプリング
３６  スリット
３７  高さ調節ネジ
３７ａ  摘み部
３７ｂ  ボルト部
３７ｃ  ナット部材
４３，４３ａ，４３ｂ，４３ｃ  支持脚
Ｆ  床面
Ｈ  腕
Ｌ  足
Ｐ  使用者
Ｓ  肩
Ｔ  洋式便器
Ｔ１  着座面
ＴＲ  トイレルーム
【図１】
2007000295.tif 000003
【図２】
2007000295.tif 000004
【図３】
2007000295.tif 000005
【図４】
2007000295.tif 000006
【図５】
2007000295.tif 000007
【図６】
2007000295.tif 000008
【図７】
2007000295.tif 000009
【図８】
2007000295.tif 000010
【図９】
2007000295.tif 000011
【図１０】
2007000295.tif 000012